(57)【要約】【課題】  顔認識技術を利用して、より多くの情報をユーザに対して提示することができる電子カメラおよび画像処理プログラムを提供すること。【解決手段】  人物ごとに、個人情報とその人物の人物認識に関わる情報とを記録する情報記録部と、被写体像を撮像して画像を生成する撮像部と、撮像部により生成された画像に対して、情報記録部に記録された人物認識に関わる情報に基づいて人物認識を行う認識部と、撮像部により生成された画像を表示する表示部と、認識部が、撮像部により生成された画像中に、情報記録部に記録された人物のいずれかを認識すると、その人物の個人情報を情報記録部から読み出して表示する表示制御部とを備えることを特徴とする。【選択図】      図１
2006165822.tif 000002
【特許請求の範囲】
【請求項１】
人物ごとに、個人情報とその人物の人物認識に関わる情報とを記録する情報記録部と、
被写体像を撮像して画像を生成する撮像部と、
前記撮像部により生成された前記画像に対して、前記情報記録部に記録された前記人物認識に関わる情報に基づいて人物認識を行う認識部と、
前記撮像部により生成された前記画像を表示する表示部と、
前記認識部が、前記撮像部により生成された前記画像中に、前記情報記録部に記録された人物のいずれかを認識すると、その人物の個人情報を前記情報記録部から読み出して前記表示部に表示する表示制御部と
を備えたことを特徴とする電子カメラ。
【請求項２】
請求項１に記載の電子カメラにおいて、
前記撮像部により生成された前記画像と、前記認識部により認識された前記人物とを関連づけて記録する画像記録部と、
前記画像記録部に記録された前記画像を、その画像に関連づけて記録された前記人物の種類に基づいて検索する画像検索部とを備え、
前記表示制御部は、前記画像検索部による検索結果に応じて、前記画像を前記画像記録部から読み出して前記表示部に表示する
ことを特徴とする電子カメラ。
【請求項３】
請求項２に記載の電子カメラにおいて、
前記表示制御部は、前記画像に関連づけて記録された前記人物の個人情報を前記情報記録部から読み出して前記表示部に表示する
ことを特徴とする電子カメラ。
【請求項４】
請求項１に記載の電子カメラにおいて、
前記表示制御部は、前記撮像部により生成された前記画像のうち、前記人物の主要部分と重複しない位置に、前記個人情報を重ね合わせて前記表示部に表示する
ことを特徴とする電子カメラ
【請求項５】
請求項１に記載の電子カメラにおいて、
前記人物認識により複数の人物が認識された場合、前記表示制御部は、前記個人情報を表示する人物とそれ例外の人物とを異なる表示方法で前記表示部に表示する
ことを特徴とする電子カメラ。
【請求項６】
請求項１に記載の電子カメラにおいて、
前記人物認識により複数の人物が認識された場合、前記表示制御部は、前記個人情報を表示する人物の画像を、ユーザ操作に基づいて前記表示部に拡大表示する
ことを特徴とする電子カメラ。
【請求項７】
請求項１に記載の電子カメラにおいて、
前記人物認識により複数の人物が認識された場合、前記表示制御部は、前記複数の人物について、前記個人情報を順番にまたは一覧に前記表示部に表示する
ことを特徴とする電子カメラ。
【請求項８】
請求項１に記載の電子カメラにおいて、
前記認識部は、前記人物認識に関わる情報に基づく人物認識を行う前に、前記撮像部により生成された前記画像に対して、被写体認識を行い、前記被写体認識により人物と認識された部分に対して、前記人物認識を行う
ことを特徴とする電子カメラ。
【請求項９】
請求項８に記載の電子カメラにおいて、
前記表示制御部は、前記被写体認識によって人物と認識された部分のうち、前記人物認識により認識された人物の部分とそれ例外の部分とを異なる表示方法で前記表示部に表示する
ことを特徴とする電子カメラ。
【請求項１０】
請求項８に記載の電子カメラにおいて、
前記情報記録部は、前記被写体認識によって人物と認識された部分のうち、前記人物認識によりいずれの人物も認識されない部分について、ユーザ操作に基づいて、前記個人情報と前記人物認識に関わる情報との少なくとも一方を記録する
ことを特徴とする電子カメラ。
【請求項１１】
コンピュータを、請求項１から請求項１０のいずれか１項に記載の認識部、表示制御部、画像検索部として機能させるための画像処理プログラム。                                                                                
【発明の詳細な説明】
【技術分野】
【０００１】
本発明は、画像やその他の情報を表示する機能を有する電子カメラおよび画像処理プログラムに関する。
【背景技術】
【０００２】
従来より、画像処理の手法を用いた顔認識技術を適用した電子カメラが知られている（例えば、特許文献１参照）。このような電子カメラでは、顔認識の結果を画像処理条件や焦点調節条件の決定などに反映している。
【特許文献１】特開２００２−７７５９２号公報
【発明の開示】
【発明が解決しようとする課題】
【０００３】
前述した顔認識技術は、有益なものである反面、処理に時間を要する技術であるため、顔認識の結果を様々な用途に利用するのが好ましい。
本発明は、顔認識技術を利用して、より多くの情報をユーザに対して提示することができる電子カメラおよび画像処理プログラムを提供することを目的とする。
【課題を解決するための手段】
【０００４】
請求項１に記載の電子カメラは、人物ごとに、個人情報とその人物の人物認識に関わる情報とを記録する情報記録部と、被写体像を撮像して画像を生成する撮像部と、前記撮像部により生成された前記画像に対して、前記情報記録部に記録された前記人物認識に関わる情報に基づいて人物認識を行う認識部と、前記撮像部により生成された前記画像を表示する表示部と、前記認識部が、前記撮像部により生成された前記画像中に、前記情報記録部に記録された人物のいずれかを認識すると、その人物の個人情報を前記情報記録部から読み出して表示する表示制御部とを備えたことを特徴とする。
【０００５】
請求項２に記載の電子カメラは、請求項１に記載の電子カメラにおいて、前記撮像部により生成された前記画像と、前記認識部により認識された前記人物とを関連づけて記録する画像記録部と、前記画像記録部に記録された前記画像を、その画像に関連づけて記録された前記人物の種類に基づいて検索する画像検索部とを備え、前記表示制御部は、前記画像検索部による検索結果に応じて、前記画像を前記画像記録部から読み出して前記表示部に表示することを特徴とする。
【０００６】
請求項３に記載の電子カメラは、請求項２に記載の電子カメラにおいて、前記表示制御部は、前記画像に関連づけて記録された前記人物の個人情報を前記情報記録部から読み出して前記表示部に表示することを特徴とする。
請求項４に記載の電子カメラは、請求項１に記載の電子カメラにおいて、前記表示制御部は、前記撮像部により生成された前記画像のうち、前記人物の主要部分と重複しない位置に、前記個人情報を重ね合わせて前記表示部に表示することを特徴とする。
【０００７】
請求項５に記載の電子カメラは、請求項１に記載の電子カメラにおいて、前記人物認識により複数の人物が認識された場合、前記表示制御部は、前記個人情報を表示する人物とそれ例外の人物とを異なる表示方法で前記表示部に表示することを特徴とする。
請求項６に記載の電子カメラは、請求項１に記載の電子カメラにおいて、前記人物認識により複数の人物が認識された場合、前記表示制御部は、前記個人情報を表示する人物の画像を、ユーザ操作に基づいて前記表示部に拡大表示することを特徴とする。
【０００８】
請求項７に記載の電子カメラは、請求項１に記載の電子カメラにおいて、前記人物認識により複数の人物が認識された場合、前記表示制御部は、前記複数の人物について、前記個人情報を順番にまたは一覧に前記表示部に表示することを特徴とする。
請求項８に記載の電子カメラは、請求項１に記載の電子カメラにおいて、前記認識部は、前記人物認識に関わる情報に基づく人物認識を行う前に、前記撮像部により生成された前記画像に対して、被写体認識を行い、前記被写体認識により人物と認識された部分に対して、前記人物認識を行うことを特徴とする。
【０００９】
請求項９に記載の電子カメラは、請求項８に記載の電子カメラにおいて、前記表示制御部は、前記被写体認識によって人物と認識された部分のうち、前記人物認識により認識された人物の部分とそれ例外の部分とを異なる表示方法で前記表示部に表示することを特徴とする。
請求項１０に記載の電子カメラは、請求項８に記載の電子カメラにおいて、前記情報記録部は、前記被写体認識によって人物と認識された部分のうち、前記人物認識によりいずれの人物も認識されない部分について、ユーザ操作に基づいて、前記個人情報と前記人物認識に関わる情報との少なくとも一方を記録することを特徴とする。
【００１０】
請求項１１に記載の画像処理プログラムは、コンピュータを、請求項１から請求項１０のいずれか１項に記載の認識部、表示制御部、画像検索部として機能させることを特徴とする。
【発明の効果】
【００１１】
本発明によれば、顔認識技術を利用して、より多くの情報をユーザに対して提示することができる電子カメラおよび画像処理プログラムを提供することができる。
【発明を実施するための最良の形態】
【００１２】
〈第１実施形態〉
以下、図面を用いて本発明の第１実施形態について説明する。第１実施形態では、本発明の電子カメラを搭載した携帯電話機を用いて説明を行う。
図１は、第１実施形態の携帯電話機１の構成を示すブロック図である。
携帯電話機１は、図１に示すように、撮像部２、ユーザ操作を受け付ける操作部３、制御部４、画像処理部５、表示処理部６、情報記録部７、画像記録部８、通信部９を備えており、撮像部２、制御部４、画像処理部５、情報記録部７、画像記録部８、通信部９はバスを介して相互に接続されている。また、不図示の電源ボタン、番号ボタン、その他の選択操作などに関わる十字キーおよび決定ボタンなどを含む操作部３の状態は、制御部４により検知される。また、撮像部２、制御部４、画像処理部５、情報記録部７、画像記録部８、通信部９からの情報は、前述したバスを介して表示部６にも供給される。また、通信部９は、制御部４の指示にしたがって、通話、メールの送受信、インターネットへの接続、画像情報を含む情報の送受信などの通信を行う。
【００１３】
なお、撮像部２は、不図示のレンズ、被写体の明るさや撮影距離などを測定する各種センサ、撮像素子、Ａ／Ｄ変換器などを備えている。また、制御部４内の不図示のメモリには、各部の動作内容を示すプログラムが予め記録されている。また、情報記録部７は、人物ごとに、個人情報とその人物の顔部分の画像とを予め記録している（詳細は後述する）。個人情報とは、名前、電話番号、住所、メールアドレス、血液型、性別、生年月日、グループ区分、インターネットＵＲＬなどである。
【００１４】
また、情報記録部７は、請求項の「情報記録部」に対応し、撮像部２、制御部４は、請求項の「撮像部」に対応する。また、制御部４は、請求項の「認識部」、「表示制御部」および「画像検索部」に対応し、表示部６は、請求項の「表示部」に対応する。また、画像記録部８は、請求項の「画像記録部」に対応する。
以上説明した構成の携帯電話機１の動作について、図２のフローチャートを用いて説明する。
【００１５】
ステップＳ１において、制御部４は、撮像開始が指示されたか否かを判定する。撮像開始は、操作部３の不図示のレリーズボタンを介して行われる。
制御部４は、撮像開始が指示されるまで待機し、撮像開始が指示されると、ステップＳ２において、各部を介して撮像を行う。
ステップＳ３において、制御部４は、被写体認識を行う。制御部４は、ステップＳ２の撮像により生成した画像に対して被写体認識を行い、人物の部分を認識する。例えば、画像中に、図３に示すように３人の人物（Ａ，Ｂ，Ｃ）が存在する場合、この被写体認識により、３人の人物（Ａ，Ｂ，Ｃ）が認識される。
【００１６】
ステップＳ４において、制御部４は、人物認識を行う。制御部４は、ステップＳ３で認識した人物の部分に対して、人物認識を行う。ステップＳ３で説明したように、３人の人物が存在する場合、順番に（例えば、左側から）人物認識の対象とする。
具体的には、情報記録部７から予め記録されている人物の顔画像を読み出し、人物認識の対象である人物の画像とパターンマッチングを行う。なお、人物認識においては、パターンマッチングの他に特徴量（両眼の間の距離など）の比較など、どのような手法を用いても良い。そして、情報記録部７に予め記録されている全ての人物を比較対象として、順番に人物認識を行う。
【００１７】
ステップＳ５において、制御部４は、登録済みの人物であるか否かを判定する。制御部４は、ステップＳ４の人物認識の結果、人物認識の対象が、情報記録部７に予め記録されている人物のいずれかと一致するか否かを判定し、一致する場合（登録済みである場合）には、ステップＳ８に進み、一致しない場合（登録済みでない場合）には、ステップＳ６に進む。
【００１８】
登録済みの人物でない場合、ステップＳ６において、制御部４は、情報が入力されたか否かを判定する。制御部４は、表示部６に、登録済みの人物でない人物の顔部分の画像を拡大表示するとともに、「この人物の個人情報を入力してください。」というようなメッセージを表示し、ユーザに個人情報の入力を促す。ユーザは、操作部３を介して、名前などの個人情報を入力する。
【００１９】
ステップＳ７において、制御部４は、情報記録部７に、ステップＳ６で表示した人物の画像と入力された個人情報とを記録する。
ステップＳ８において、制御部４は、ステップＳ３で認識した全ての被写体に対して人物認識を行ったか否かを判定する。
全ての被写体に対して人物認識を行っていない場合、制御部４は、ステップＳ４に戻り、次の被写体を人物認識の対象として、人物認識を行う。
【００２０】
そして、全ての被写体に対して人物認識を行うと、ステップＳ９において、制御部４は、個人情報を情報記録部７から読み出して、表示部６に表示する。
ステップＳ１０において、制御部４は、通信開始が指示されたか否かを判定する。
通信開始が指示されると、ステップＳ１１において、制御部４は、指示にしたがって通信を行う。すなわち、制御部４は、指示にしたがって、ステップＳ９で表示した電話番号に対する通話や、メールアドレスに対するメールの送信や、インターネットＵＲＬに対する接続などを行い、一連の処理を終了する。
【００２１】
なお、ステップＳ４の人物により複数の人物が人物認識された場合、複数の人物の個人情報を表示することになる。したがって、制御部４は、複数の人物の個人情報を順番に表示する。すなわち、まず、図４Ａに示すように、左側の人物の個人情報を表示し、次に中央の人物の個人情報を表示し、最後に、図４Ｂに示すように右側の人物の個人情報を表する。このとき、個人情報を表示する人物とそれ例外の人物とを異なる表示方法で表示する。図４Ａおよび図４Ｂでは、個人情報を表示する人物の顔部分を除く部分を暗転表示する例を示す。他に、個人情報を表示する人物の顔部分をハイライト表示したり、枠で囲うようにしても良い。図４Ａでは、枠ａで顔の部分を囲み、点線ｂで囲まれた部分に個人情報を表示している。また、図４Ｂでは、枠ｃで顔の部分を囲み、点線ｄで囲まれた部分に個人情報を表示している。
【００２２】
また、複数の人物の個人情報を一覧に表示するようにしても良い。すなわち、図５に示すように、複数の人物の個人情報を多分割表示することにより、ユーザは、携帯電話機１をアドレス帳のように使用することができる。
また、ユーザ操作に応じて、個人情報を表示する人物を拡大表示するようにしても良い。すなわち、図６に示すように、枠ｅに顔部分の画像を拡大表示し、点線ｆで囲まれた部分に個人情報を拡大表示する。このように表示を行うことにより、特定の人物の画像および個人情報を分かり易く表示することができる。なお、図２のステップＳ６で説明した個人情報の入力の際にも、図６と同様の表示を行い、ユーザに情報の入力を促すようにすると良い。
【００２３】
さらに、図２のフローチャートでは、未登録の人物（ステップＳ３の被写体認識により認識されたが、ステップＳ４の人物認識により認識されない人物）については、ステップＳ６およびステップＳ７で個人情報の入力を促す例を示したが、登録済みの人物と未登録の人物とを異なる表示方法で表示することにより、ユーザに未登録の人物を提示するようにしても良い。例えば、図７に示すように、未登録の人物の部分を暗転表示し、それ以外の人物については、個人情報を表示するようにしても良い。図７では、左側の未登録の人物の顔部分を枠ｇで囲んで暗転表示し、未登録であることを示す文字を表示する例を示す。異なる表示方法であれば、色の違い、ハイライト表示、点滅表示などどのような表示方法を用いるようにしても良い。
【００２４】
また、図２のフローチャートのステップＳ９の後に、画像を記録するステップを行うようにしても良い。このとき、制御部４は、ステップＳ２の撮像で生成した画像と、ステップＳ４で認識した人物とを関連づけて記録する。このように記録を行うことにより、画像の検索時には、人物の種類に基づいて画像の検索を行うことができる。また、その人物の個人情報を画像の検索に用いることにより、様々な検索を行うことができる。
【００２５】
例えば、図６に示した拡大表示の状態で、さらに枠ｈを表示し、操作部３の操作に基づいて、個人情報のいずれかを選択する。図６に示すように、例えば「グループＡ」が選択された場合、個人情報に「グループＡ」が記録されている人物の全ての画像を、容易に検索することができる。同様に、画像の並べ替えを行うこともできる。
また、スルー画像の撮像時に同様の表示を行うようにすれば、携帯電話機１を、個人情報の管理および検索用のツールとして使用することができる。なお、スルー画像の撮像時に同様の表示を行う場合には、人物の移動に合わせて、個人情報を表示する領域を移動させるのが好ましい。すなわち、人物と重複しない位置に、個人情報を表示する。
【００２６】
また、図２のフローチャートのステップＳ１およびステップＳ２で説明した撮像を、画像の取得に置き換えても良い。すなわち、メールに添付された画像や、インターネット上のホームページなどからダウンロードした画像を取得した場合にも、ステップＳ３以降で説明した処理を同様に行うようにしても良い。
以上説明したように、第１実施形態によれば、人物ごとに、個人情報とその人物の人物認識に関わる情報とを記録しておき、撮像により生成された画像に対して、予め記録された人物認識に関わる情報に基づいて人物認識を行う。そして、認識の結果、撮像により生成された画像中に、予め記録された人物のいずれかを認識すると、その人物の個人情報を読み出して表示する。したがって、 顔認識技術を利用して、より多くの情報をユーザに対して提示することができる。
【００２７】
また、第１実施形態によれば、撮像により生成された画像と、認識された人物とを関連づけて記録しておくそして、記録された画像を、その画像に関連づけて記録された人物の種類に基づいて検索可能とし、検索結果に応じて画像を読み出して表示する。したがって、顔認識技術を利用して、画像の分類および検索を簡便化することができる。さらに、画像に関連づけて記録された人物の個人情報を情報記録部から読み出して表示することにより、少ない操作で、より多くの情報をユーザに対して提示することができる。
【００２８】
また、第１実施形態によれば、撮像により生成された画像のうち、人物の主要部分と重複しない位置に、個人情報を重ね合わせて表示する。そのため、対象人物の画像と個人情報とを同時にユーザに対して提示することができる。
また、第１実施形態によれば、人物認識により複数の人物が認識された場合、個人情報を表示する人物とそれ例外の人物とを異なる表示方法で表示する。したがって、どの人物の個人情報が表示されているのかを、分かり易くユーザに対して提示することができる。
【００２９】
また、第１実施形態によれば、人物認識により複数の人物が認識された場合、個人情報を表示する人物の画像を、ユーザ操作に基づいて拡大表示する。したがって、個人情報を表示する人物の画像を、明確にユーザに対して提示することができる。
また、第１実施形態によれば、人物認識により複数の人物が認識された場合、複数の人物について、個人情報を順番にまたは一覧に表示する。したがって、複数の人物が存在する場合でも、全ての人物の個人情報を、分かり易くユーザに対して提示することができる。
【００３０】
また、第１実施形態によれば、人物認識に関わる情報に基づく人物認識を行う前に、撮像により生成された画像に対して、被写体認識を行い、被写体認識により人物と認識された部分に対して、人物認識を行う。したがって、人物認識に要する時間を短縮することができる。
また、第１実施形態によれば、被写体認識によって人物と認識された部分のうち、人物認識により認識された人物の部分とそれ例外の部分とを異なる表示方法で表示する。したがって、個人情報を記録している人物と記録していない人物とを、分かり易くユーザに対して提示することができる。
【００３１】
また、第１実施形態によれば、被写体認識によって人物と認識された部分のうち、人物認識によりいずれの人物も認識されない部分について、ユーザ操作に基づいて、個人情報と人物認識に関わる情報との少なくとも一方を記録する。したがって、個人情報を記録していない人物をユーザに対して提示するとともに、その人物について、速やかに情報を記録することが可能となる。
【００３２】
なお、第１実施形態では、ステップＳ３の被写体認識により認識した全ての被写体に対して、ステップＳ４で人物認識を行う例を示したが、ユーザ操作に応じて人物認識の対象を限定するようにしても良いし、人物認識の順番を指定させるようにしても良い。
また、第１実施形態では、人物認識に関わる情報として、人物の画像を記録する例を示したが、顔の特徴を示す特徴量などを記録するようにしても良い。
【００３３】
また、個人情報の種類や、表示する個人情報の内容などは、ユーザ操作により指定可能とするのが好ましい。
〈第２実施形態〉
以下、図面を用いて本発明の第２実施形態について説明する。なお、第２実施形態では、第１実施形態と同様に、本発明の電子カメラを搭載した携帯電話機を用いて説明を行う。携帯電話機の構成については第１実施形態と同様であるため図示および説明を省略し、携帯電話機１と同様の符号を用いて説明を行う。
【００３４】
図８に、携帯電話機１の表示部６の表示例を示す。制御部４は、画像再生時に、図８に示すように、このような画像とともに、操作用アイコンｈ，ｉ，ｊを表示する。そして、操作部３を介して、電話アイコンｊが選択されると、制御部４は、図２のフローチャートと同様の処理を行う。そして、人物認識した人物の顔の部分に、図９に示すように、枠ｋ，ｌ，ｍを表示する。ユーザは、操作部３を介して３つの枠のいずれかを選択することにより、通話を行う相手を選択することができる。
【００３５】
制御部４は、選択された人物の個人情報（電話番号）を情報記録部７から読み出し、枠の上部に表示する。図９は、中央の人物の枠ｌの上部に、名前と電話番号を表示する例を示す。なお、個人情報を表示する枠の色を変えるなど、個人情報を表示しない人物と異なる表示を行う。ユーザは、このような表示を目視して、通話を行う相手を確認することができる。なお、図９では、名前と電話番号を表示する例を示したが、他の個人情報を表示するようにしても良い。
【００３６】
通話を行う相手を選択した状態で、操作部３の不図示の通話ボタンが選択されると、制御部は、表示した電話番号に発呼を開始し、通話可能状態となる。そして、通話が終了すると、制御部４は、図９に示す表示を再び行う。
なお、上述した通話を行う相手の選択を繰り返すことにより、同じ画像に存在する複数の人物を同時に選択し、同時に複数の人物に対して通話を行うことができる。
【００３７】
また、図９に示す表示の状態で、全員アイコンｐが選択されると、制御部４は、全員について個人情報の表示を行う。また、図１０に示すように、人物認識した複数の人物のそれぞれについて個人情報を表示し、チェックボックスｑ，ｒ，ｓを表示して、ユーザに通話を行う相手を選択させるようにしても良い。
また、一度通話を行った後には、画像と個人情報とを関連づけて画像記録部８に記録する。このような記録を行うことにより、再度の人物認識を省くことができる。また、ある人物が対応づけられた画像が複数存在する場合には、その人物から着信した場合に、複数の画像を読み出し、表示部６にスライドショーのように表示しても良い。
【００３８】
以上説明したように、第２実施形態によれば、人物ごとに、個人情報とその人物の人物認識に関わる情報とを記録しておき、取得した画像に対して、予め記録された人物認識に関わる情報に基づいて人物認識を行う。そして、認識の結果、取得した画像中に、予め記録された人物のいずれかを認識すると、その人物の個人情報を読み出して表示し、表示した個人情報に基づいて、通信を行う。したがって、画像を利用して、簡便に個人情報を検索し、通信を行うことができる。
【００３９】
また、複数の人物が存在する場合には、複数の人物を選択して、同時に通話を行う（メールを送信する）ことができる。１枚の画像に集合写真のように写っている人たちは、例えば、旅行仲間などの同じ目的で行動するグループに所属している場合が多い。したがって、これらの複数の人物に対して同じ内容を報知したい場合には、電話帳に登録された電話相手を何度も探す必要が無くなる。
【００４０】
また、同じ人物が複数の画像に対応づけられていれば、複数の画像のいずれの画像からでも個人情報を読み出すことができるので、個人情報の検索に必要な負担を減らすことができる。
なお、人物の画像が横顔である場合には、被写体認識や人物認識を行うことが困難であるため、ユーザが手動で人物の画像を指定可能とすると良い。
【００４１】
また、第１実施形態および第２実施形態において、表示部６の表示部分が小さく、個人情報を表示するのが困難な場合、画像のみを表示するようにしても良い。このような場合、ユーザの指示にしたがって、その画像に対応づけられた個人情報に基づく通信を行うようにすれば良い。
また、第１実施形態および第２実施形態の発明を、コンピュータや電子手帳、ＰＤＡなどに適用しても良い。このような場合、図２に示したフローチャートの一部を各装置のＣＰＵに実行させるようにすれば良い。
【００４２】
また、第１実施形態および第２実施形態の発明を、セキュリティの分野に応用するようにしても良い。すなわち、監視カメラや犯罪者照会用データベースに適用しても良い。
また、第１実施形態および第２実施形態の発明は、個人情報に関わる発明であるため、情報の保持および漏洩に留意する必要がある。そのため、適切なロック機能、コピー防止機能、ユーザ認証機能などを組み合わせることが好ましい。
【図面の簡単な説明】
【００４３】
【図１】第１実施形態の携帯電話機１の構成を示すブロック図である。
【図２】携帯電話機１の動作を示すフローチャートである。
【図３】表示部６の表示例を示す図である。
【図４】表示部６の別の表示例を示す図である。
【図５】表示部６の別の表示例を示す図である。
【図６】表示部６の別の表示例を示す図である。
【図７】表示部６の別の表示例を示す図である。
【図８】表示部６の別の表示例を示す図である。
【図９】表示部６の別の表示例を示す図である。
【図１０】表示部６の別の表示例を示す図である。
【符号の説明】
【００４４】
１  携帯電話機
２  撮像部
３  操作部
４  制御部
５  画像処理部
６  表示部
７  情報記録部
８  画像記録部
９  通信部                                                                              
【図１】
2006165822.tif 000003
【図２】
2006165822.tif 000004
【図３】
2006165822.tif 000005
【図４】
2006165822.tif 000006
【図５】
2006165822.tif 000007
【図６】
2006165822.tif 000008
【図７】
2006165822.tif 000009
【図８】
2006165822.tif 000010
【図９】
2006165822.tif 000011
【図１０】
2006165822.tif 000012